(57)【要約】【課題】表示パネルが収納されるケースの収納スペースを増大させることが可能な表示装置を提供する。【解決手段】この表示装置は、前面側ケース１および背面側ケース２により構成され、液晶表示パネル５が内部に収納される箱状のケース３と、ケース３の内部に設けられ、前面側ケース１および背面側ケース２の各々の側部１ａおよび２ａが取り付けられる枠体４とを備えている。そして、ケース３は、前面側ケース１および背面側ケース２の各々の側部１ａおよび２ａが枠体４に取り付けられることにより箱状に保持される。【選択図】図１
2008009027.tif 000002
【特許請求の範囲】
【請求項１】
表示パネルと、
少なくとも１つの側部をそれぞれ有する第１ケース部材および第２ケース部材により構成され、前記表示パネルが内部に収納される箱状のケースと、
前記ケースの内部に設けられ、前記第１ケース部材および前記第２ケース部材の各々の側部が取り付けられる取り付け部材とを備え、
前記ケースは、前記第１ケース部材および前記第２ケース部材の各々の側部が前記取り付け部材に取り付けられることにより箱状に保持されることを特徴とする表示装置。
【請求項２】
前記第１ケース部材および前記第２ケース部材の各々の側部は、前記第１ケース部材および前記第２ケース部材の各々の側部の厚み方向に互いに重ならないように配置されていることを特徴とする請求項１に記載の表示装置。
【請求項３】
前記取り付け部材は、前記ケースの内側面に沿って配置された側部を有する枠状の取り付け部材を含み、
前記第１ケース部材および前記第２ケース部材の各々の側部は、前記取り付け部材の側部に取り付けられていることを特徴とする請求項１または２に記載の表示装置。
【請求項４】
前記第１ケース部材の側部には、第１係合部が形成されているとともに、前記第２ケース部材の側部には、第２係合部が形成されており、
前記取り付け部材には、前記第１ケース部材の第１係合部および前記第２ケース部材の第２係合部とそれぞれ係合する第３係合部および第４係合部が形成されていることを特徴とする請求項１〜３のいずれかに記載の表示装置。
【請求項５】
前記第１ケース部材の第１係合部および前記第２ケース部材の第２係合部は、係合穴および突出片の一方を含み、
前記取り付け部材の第３係合部および第４係合部は、前記係合穴および前記突出片の他方を含んでいることを特徴とする請求項４に記載の表示装置。
【発明の詳細な説明】
【技術分野】
【０００１】
この発明は、表示装置に関し、特に、表示パネルが収納されるケースを備えた表示装置に関する。
【背景技術】
【０００２】
従来、表示装置として、液晶の光学的性質の変化を利用して表示を行う液晶表示装置が知られている。このような液晶表示装置では、液晶表示パネルの背面側にバックライトユニットが設けられており、そのバックライトユニットから発光される光が液晶表示パネルに照射されることによって、文字や画像などが表示される。また、従来の液晶表示装置では、液晶表示パネルやバックライトユニットなどの部品は、所定のケースに収納されている。
【０００３】
ところで、上記したような従来の液晶表示装置では、液晶表示パネルやバックライトユニットなどの部品が収納されるケースとして、一般的に、前面側に位置する前面側ケースと、背面側に位置する背面側ケースとによって構成されたケースが用いられている（たとえば、特許文献１参照）。
【０００４】
図７は、上記特許文献１に開示された従来の液晶表示装置を簡略的に示した断面図である。図７を参照して、従来の液晶表示装置は、金属板からなる箱状のケース１０１の内部に、液晶表示パネル１０２およびバックライトユニット１０３が収納された構造を有している。液晶表示パネル１０２およびバックライトユニット１０３が収納されるケース１０１は、前面側に位置する前面側ケース（カバーケース）１０４と、背面側に位置する背面側ケース（収納ケース）１０５とによって構成されている。また、前面側ケース１０４は、金属板が背面側に向かって垂直に折り曲げられることによって形成された側部１０４ａを有するとともに、背面側ケース１０５は、金属板が前面側に向かって垂直に折り曲げられることによって形成された側部１０５ａを有している。また、前面側ケース１０４には、液晶表示パネル１０２の表示領域１０２ａを露出させるための開口部１０４ｂが形成されている。
【０００５】
また、従来の液晶表示装置では、ケース１０１は、前面側ケース１０４が背面側ケース１０５に対して固定されることにより箱状に保持されている。具体的には、従来の液晶表示装置では、前面側ケース１０４および背面側ケース１０５の各々の側部１０４ａおよび１０５ａが、前面側ケース１０４および背面側ケース１０５の各々の側部１０４ａおよび１０５ａの厚み方向に重ねられている。なお、前面側ケース１０４および背面側ケース１０５の各々の側部１０４ａおよび１０５ａが重ねられた状態では、前面側ケース１０４の側部１０４ａが外側に配置されているとともに、背面側ケース１０５の側部１０５ａが内側に配置されている。そして、前面側ケース１０４は、その側部１０４ａが背面側ケース１０５の側部１０５ａにより内側から外側に向かって押圧されることによって、背面側ケース１０５に対して固定されている。従来の液晶表示装置では、このようにして、前面側ケース１０４と背面側ケース１０５とにより構成されるケース１０１が箱状に保持されている。
【０００６】
【特許文献１】特開２００６−１０７８９号公報
【発明の開示】
【発明が解決しようとする課題】
【０００７】
しかしながら、従来の液晶表示装置では、図７に示したように、前面側ケース１０４および背面側ケース１０５の各々の側部１０４ａおよび１０５ａが互いに重ねられているため、ケース１０１の側部１０１ａの厚みが大きくなるという不都合がある。具体的には、従来の液晶表示装置では、ケース１０１の側部１０１ａの厚みｔ１０１は、前面側ケース１０４の側部１０４ａの厚みｔ１０４と背面側ケース１０５の側部１０５ａの厚みｔ１０５とを合計した値となる。ここで、液晶表示装置を自動車のコンソールボックスに搭載する場合、液晶表示装置の外形寸法（ケース１０１の外形寸法）は、ＤＩＮ規格（ドイツ工業規格）に合わせて統一する必要がある。このため、ケース１０１の側部１０１ａの厚みｔ１０１が大きくなると、その分、ケース１０１の互いに対向する側部１０１ａ間の距離Ｄ１００が小さくなるという不都合が生じる。その結果、従来の液晶表示装置では、ケース１０１の収納スペースが小さくなるという問題点がある。
【０００８】
なお、ケース１０１の収納スペースが小さくなる場合には、ケース１０１に収納される液晶表示パネル１０２のパネルサイズを小さくするなどの対策を施さなければならないという不都合が生じる。また、ケース１０１の収納スペースが小さくなる場合には、ケース１０１に収納される操作用スイッチなどの設置スペースの確保が困難になるという不都合も生じる。
【０００９】
この発明は、上記のような課題を解決するためになされたものであり、この発明の目的は、表示パネルが収納されるケースの収納スペースを増大させることが可能な表示装置を提供することである。
【課題を解決するための手段】
【００１０】
上記目的を達成するために、この発明の一の局面による表示装置は、表示パネルと、少なくとも１つの側部をそれぞれ有する第１ケース部材および第２ケース部材により構成され、表示パネルが内部に収納される箱状のケースと、ケースの内部に設けられ、第１ケース部材および第２ケース部材の各々の側部が取り付けられる取り付け部材とを備えている。そして、ケースは、第１ケース部材および第２ケース部材の各々の側部が取り付け部材に取り付けられることにより箱状に保持される。
【００１１】
この一の局面による表示装置では、上記のように、ケースの内部に、第１ケース部材および第２ケース部材の各々の側部が取り付けられる取り付け部材を設けることによって、第１ケース部材および第２ケース部材を取り付け部材に対して固定することができるので、第１ケース部材（第２ケース部材）に対して第２ケース部材（第１ケース部材）を固定することなく、第１ケース部材および第２ケース部材により構成されるケースを箱状に保持することができる。すなわち、一の局面では、第１ケース部材および第２ケース部材により構成されるケースを箱状に保持するために、第１ケース部材および第２ケース部材の各々の側部を厚み方向に互いに重ねる必要がない。これにより、第１ケース部材および第２ケース部材により構成されるケースの側部の厚みを小さくすることができるので、その分、ケースの互いに対向する側部間の距離を大きくすることができる。その結果、ケースの収納スペースを増大させることができる。また、一の局面では、ケースの収納スペースを増大させることができるので、ケースに収納される表示パネルのパネルサイズを大きくすることができるとともに、ケースに収納される操作用スイッチなどの設置スペースを十分に確保することができる。
【００１２】
上記一の局面による表示装置において、好ましくは、第１ケース部材および第２ケース部材の各々の側部は、第１ケース部材および第２ケース部材の各々の側部の厚み方向に互いに重ならないように配置されている。このように構成すれば、容易に、第１ケース部材および第２ケース部材により構成されるケースの側部の厚みを小さくすることができる。
【００１３】
上記一の局面による表示装置において、好ましくは、取り付け部材は、ケースの内側面に沿って配置された側部を有する枠状の取り付け部材を含み、第１ケース部材および第２ケース部材の各々の側部は、取り付け部材の側部に取り付けられている。このように構成すれば、容易に、第１ケース部材および第２ケース部材の各々の側部を取り付け部材に取り付けることができる。
【００１４】
上記一の局面による表示装置において、好ましくは、第１ケース部材の側部には、第１係合部が形成されているとともに、第２ケース部材の側部には、第２係合部が形成されており、取り付け部材には、第１ケース部材の第１係合部および第２ケース部材の第２係合部とそれぞれ係合する第３係合部および第４係合部が形成されている。このように構成すれば、第１ケース部材の第１係合部を取り付け部材の第３係合部と係合させ、かつ、第２ケース部材の第２係合部を取り付け部材の第４係合部と係合させることにより、容易に、第１ケース部材および第２ケース部材を取り付け部材に対して固定することができる。
【００１５】
この場合、好ましくは、第１ケース部材の第１係合部および第２ケース部材の第２係合部は、係合穴および突出片の一方を含み、取り付け部材の第３係合部および第４係合部は、係合穴および突出片の他方を含んでいる。このように構成すれば、容易に、第１ケース部材の第１係合部（穴部および突出片の一方）を取り付け部材の第３係合部（穴部および突出片の他方）と係合させることができるとともに、第２ケース部材の第２係合部（穴部および突出片の一方）を取り付け部材の第４係合部（穴部および突出片の他方）と係合させることができる。
【発明の効果】
【００１６】
以上のように、本発明によれば、表示パネルが収納されるケースの収納スペースを増大させることが可能な表示装置を得ることができる。
【発明を実施するための最良の形態】
【００１７】
図１は、本発明の一実施形態による液晶表示装置（表示装置）を前面側から見た場合の斜視図である。図２は、図１に示した一実施形態による液晶表示装置の分解斜視図である。図３は、図１に示した一実施形態による液晶表示装置の平面図である。図４および図５は、それぞれ、図３の１００−１００線および２００−２００線に沿った断面図である。図６は、図１に示した一実施形態による液晶表示装置を背面側から見た場合の斜視図である（液晶表示装置から背面側ケースを取り外した状態）。まず、図１〜図６を参照して、本実施形態による液晶表示装置（表示装置）の構造について説明する。
【００１８】
本実施形態では、図１および図２に示すように、前面側に位置する前面側ケース１と、背面側に位置する背面側ケース２とによって、液晶表示装置の箱状のケース３が構成されている。ケース３を構成する前面側ケース１および背面側ケース２は、それぞれ、約０．３ｍｍの厚みを有する金属板（板部材）からなる。また、前面側ケース１は、金属板が背面側に向かって垂直に折り曲げられることによって形成された側部１ａを有している。また、背面側ケース２は、金属板が前面側に向かって垂直に折り曲げられることによって形成された側部２ａを有している。すなわち、前面側ケース１の側部１ａは、約０．３ｍｍの厚みｔ１（図４および図５参照）を有するとともに、背面側ケース２の側部２ａは、約０．３ｍｍの厚みｔ２（図４および図５参照）を有している。なお、前面側ケース１および背面側ケース２は、それぞれ、本発明の「第１ケース部材」および「第２ケース部材」の一例である。
【００１９】
また、ケース３の内部には、ポリカーボネート樹脂からなる枠体４が設けられている。この枠体４は、図２に示すように、４つの板状の側部４ａが一体的に連結されることによって枠状に形成されている。また、枠体４の側部４ａは、ケース３の内側面に接するように、ケース３の内側面に沿って配置されている。また、枠体４の内側には、後述する液晶表示パネル５を支持するための支持部４ｂが一体的に形成されている。なお、枠体４は、本発明の「取り付け部材」の一例である。
【００２０】
ここで、本実施形態では、図１に示すように、前面側ケース１は、その側部１ａが枠体４の側部４ａに取り付けられることによって、枠体４に対して固定されている。また、背面側ケース２は、その側部２ａが枠体４の側部４ａに取り付けられることによって、枠体４に対して固定されている。具体的には、図２に示すように、前面側ケース１の側部１ａには、複数の係合穴１ｂが形成されているとともに、背面側ケース２の側部２ａには、複数の係合穴２ｂが形成されている。また、枠体４の側部４ａには、前面側ケース１の複数の係合穴１ｂとそれぞれ係合する複数の突出片４ｃと、背面側ケース２の複数の係合穴２ｂとそれぞれ係合する複数の突出片４ｄとが一体的に形成されている。なお、係合穴１ｂおよび２ｂは、それぞれ、本発明の「第１係合部」および「第２係合部」の一例である。また、突出片４ｃおよび４ｄは、それぞれ、本発明の「第３係合部」および「第４係合部」の一例である。
【００２１】
そして、本実施形態では、図３〜図５に示すように、前面側ケース１の係合穴１ｂが枠体４の突出片４ｃ（図４参照）と係合し、かつ、背面側ケース２の係合穴２ｂが枠体４の突出片４ｄ（図５参照）と係合することによって、前面側ケース１および背面側ケース２が同一の枠体４に対して固定されている。また、前面側ケース１および背面側ケース２が枠体４に対して固定されることによって、前面側ケース１および背面側ケース２によって構成されるケース３が箱状に保持されている。なお、図４に図示した係合穴１ｂおよび突出片４ｃは、ぞれぞれ、図２中の矢印Ａで指し示した係合穴１ｂおよび突出片４ｃを表しているとともに、図５に図示した係合穴２ｂおよび突出片４ｄは、それぞれ、図２中の矢印Ｂで指し示した係合穴２ｂおよび突出片４ｄを表している。
【００２２】
また、図４および図５に示すように、枠体４の突出片４ｃおよび４ｄは、ケース３が箱状に保持された状態において、ケース３の外側面よりも外側に突出しないように形成されている。すなわち、枠体４の突出片４ｃの突出高さ（枠体４の側部４ａの外側面からの高さ）は、前面側ケース１の側部１ａの厚みｔ１（約０．３ｍｍ）以下に設定されている。また、枠体４の突出片４ｄの突出高さは、背面側ケース２の側部２ａの厚みｔ２（約０．３ｍｍ）以下に設定されている。なお、枠体４の突出片４ｃの突出高さとは、前面側ケース１の側部１ａの厚み方向（図３および図４のＹ方向）における枠体４の突出片４ｃの厚みである。また、枠体４の突出片４ｄの突出高さとは、背面側ケース２の側部２ａの厚み方向（図３および図５のＸ方向）における枠体４の突出片４ｄの厚みである。
【００２３】
また、本実施形態では、前面側ケース１および背面側ケース２の各々の側部１ａおよび２ａは、ケース３の外周の全周に渡って、前面側ケース１および背面側ケース２の各々の側部１ａおよび１ｂの厚み方向（図３〜図５のＸ方向およびＹ方向）に互いに重ならないように配置されている。すなわち、前面側ケース１および背面側ケース２によって構成されるケース３の側部３ａは、約０．３ｍｍの厚み（金属板１枚分の厚み）を有していることになる。
【００２４】
また、図２に示すように、ケース３の内部には、表示領域５ａおよび非表示領域５ｂを有する液晶表示パネル５と、その液晶表示パネル５の背面側に設けられたバックライトユニット６とが収納されている。液晶表示パネル５の表示領域５ａは、前面側ケース１に形成された開口部１ｃによって、ケース３から露出されている。なお、液晶表示パネル５は、本発明の「表示パネル」の一例である。また、本実施形態では、ケース３（前面側ケース１）の前面側に設けられたタッチパネル３０によって、液晶表示装置の操作が行われるように構成されている。
【００２５】
また、液晶表示パネル５は、アクティブマトリクス構造を有している。すなわち、図示しないが、液晶表示パネル５の各画素には、ＴＦＴ（Ｔｈｉｎ  Ｆｉｌｍ  Ｔｒａｎｓｉｓｔｏｒ：薄膜トランジスタ）が１つずつ設けられている。また、液晶表示パネル５のＴＦＴのソース（図示せず）には、ソースドライバ７を含むＦＰＣ（Ｆｌｅｘｉｂｌｅ  Ｐｒｉｎｔｅｄ  Ｃｉｒｃｕｉｔ：フレキシブルプリント配線板）８が接続されているとともに、液晶表示パネル５のＴＦＴのゲート（図示せず）には、ゲートドライバ９を含むＦＰＣ１０が接続されている。
【００２６】
また、バックライトユニット６は、バックライトカバー１１と、反射シート１２と、導光体１３と、光源１４と、光学シート１５とによって構成されている。バックライトカバー１１は、金属板からなるとともに、その金属板が前面側に向かって垂直に折り曲げられることによって形成された側部を有している。そして、反射シート１２、導光体１３、光源１４および光学シート１５は、バックライトカバー１１の内部に収納されている。反射シート１２は、ポリエステル樹脂からなるとともに、バックライトカバー１１の底面上に配置されている。また、反射シート１２は、バックライトカバー１１の内側面に沿って配置された側部を有している。導光体１３は、アクリル樹脂などの透明樹脂からなるとともに、反射シート１２の前面側において反射シート１２の側部に囲まれるように配置されている。光源１４は、ＣＦＬ（Ｃｏｌｄ  Ｆｉｕｏｒｅｓｃｅｎｔ  Ｌａｍｐｓ：冷陰極管）からなるとともに、導光体１３の３辺を囲むように配置されている。すなわち、光源１４は、導光体１３の３辺に沿って延びるようにコの字状に形成されている。この光源１４には、リード線１６を介してコネクタ１７が接続されている。
【００２７】
また、光学シート１５は、導光体１３の前面側の表面上に配置されている。また、光学シート１５は、拡散フィルム１８と、透明導電体フィルム１９と、拡散フィルム２０と、レンズフィルム２１と、輝度上昇フィルム２２とを含んでいる。一方の拡散フィルム１８は、光源１４からの光を横方向または縦方向に拡散させる機能を有するとともに、他方の拡散フィルム２０は、光源１４からの光を縦方向または横方向に拡散させる機能を有している。透明導電体フィルム１９は、ＩＴＯ（Ｉｎｄｉｕｍ  Ｔｉｎ  Ｏｘｉｄｅ）などの透明導電体からなるとともに、ノイズを吸収する機能を有している。レンズフィルム２１は、光源１４からの光の集光などを行う機能を有している。輝度上昇フィルム２２は、光源１４からの光の輝度を上昇させる機能を有している。また、上記した各フィルム１８〜２２は、この順番で、背面側（導光体１３側）から前面側に向かって積層されている。
【００２８】
また、図２および図６に示すように、バックライトユニット６の背面側（バックライトユニット６の液晶表示パネル５側とは反対側）には、制御基板（メイン基板）２３が設けられている。そして、ソースドライバ７を含むＦＰＣ８およびゲートドライバ９を含むＦＰＣ１０は、背面側に向かって折り曲げられることによって、制御基板２３に接続されている。また、ＦＰＣ８および１０が制御基板２３に接続された状態（図６の状態）では、ソースドライバ７およびゲートドライバ９が保護シート２４により覆われている。また、制御基板２３の背面側（制御基板２３のバックライトユニット６側とは反対側）には、サブ基板２５が設けられている。また、制御基板２３とサブ基板２５との間には、制御基板２３とサブ基板２５とを電気的に接続するためのコネクタ２６が設けられている。また、サブ基板２５には、バックライトユニット６から発光される光の輝度を測定するための輝度センサ２７が実装されている。
【００２９】
本実施形態では、上記のように、ケース３の内部に、前面側ケース１および背面側ケース２の各々の側部１ａおよび２ａが取り付けられる枠体４を設けることによって、前面側ケース１および背面側ケース２を枠体４に対して固定することができるので、前面側ケース１（背面側ケース２）に対して背面側ケース２（前面側ケース１）を固定することなく、前面側ケース１および背面側ケース２により構成されるケース３を箱状に保持することができる。すなわち、本実施形態では、前面側ケース１および背面側ケース２により構成されるケース３を箱状に保持するために、前面側ケース１および背面側ケース２の各々の側部１ａおよび２ａを厚み方向（図３〜図５のＸ方向およびＹ方向）に互いに重ねる必要がない。これにより、前面側ケース１および背面側ケース２により構成されるケース３の側部３ａの厚みを小さくすることができるので、その分、ケース３の互いに対向する側部３ａ間の距離を大きくすることができる。その結果、ケース３の収納スペースを増大させることができる。また、本実施形態では、ケース３の収納スペースを増大させることができるので、ケース３に収納される液晶表示パネル５のパネルサイズを大きくすることができるとともに、ケース３に収納される操作用スイッチなどの設置スペースを十分に確保することができる。
【００３０】
また、本実施形態では、上記のように、前面側ケース１および背面側ケース２の各々の側部１ａおよび２ａが厚み方向（図３〜図５のＸ方向およびＹ方向）に互いに重ならないように、前面側ケース１および背面側ケース２の各々の側部１ａおよび２ａを配置することによって、容易に、前面側ケース１および背面側ケース２により構成されるケース３の側部３ａの厚みを小さくすることができる。
【００３１】
また、本実施形態では、上記のように、ケース３の内側面に沿って配置された側部４ａを有する枠体４を用いることによって、容易に、前面側ケース１および背面側ケース２の各々の側部１ａおよび２ａを枠体４の側部４ａに取り付けることができる。
【００３２】
また、本実施形態では、上記のように、前面側ケース１の側部１ａに係合穴１ｂを形成するとともに、背面側ケース２の側部２ａに係合穴２ｂを形成し、かつ、枠体４の側部４ａに突出片４ｃおよび４ｄを形成することによって、前面側ケース１の係合穴１ｂを枠体４の突出片４ｃと係合させるとともに、背面側ケース２の係合穴２ｂを枠体４の突出片４ｄと係合させることにより、容易に、前面側ケース１および背面側ケース２を枠体４に対して固定することができる。
【００３３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３４】
たとえば、上記実施形態では、液晶表示装置に本発明を適用する例を説明したが、本発明はこれに限らず、液晶表示装置以外の表示装置にも適用可能である。
【００３５】
また、上記実施形態では、金属板によりケースを構成したが、本発明はこれに限らず、金属板以外の板部材によりケースを構成してもよい。
【００３６】
また、上記実施形態では、ケースの側部に係合穴を形成するとともに、枠体の側部に突出片を形成したが、本発明はこれに限らず、ケースの側部に突出片を形成するとともに、枠体の側部に係合穴を形成してもよい。
【００３７】
また、上記実施形態では、液晶表示パネル、バックライトユニットおよび液晶表示パネルに接続される基板などをケースの内部に収納するようにしたが、本発明はこれに限らず、上記した液晶表示パネルやバックライトユニットなどの部品以外の部品がケースの内部に収納されていてもよい。また、バックライトユニットがケースの内部に収納されていなくてもよい。
【図面の簡単な説明】
【００３８】
【図１】本発明の一実施形態による液晶表示装置（表示装置）を前面側から見た場合の斜視図である。
【図２】図１に示した一実施形態による液晶表示装置の分解斜視図である。
【図３】図１に示した一実施形態による液晶表示装置の平面図である。
【図４】図３の１００−１００線に沿った断面図である。
【図５】図３の２００−２００線に沿った断面図である。
【図６】図１に示した一実施形態による液晶表示装置を背面側から見た場合の斜視図である（液晶表示装置から背面側ケースを取り外した状態）。
【図７】従来の液晶表示装置を簡略的に示した断面図である。
【符号の説明】
【００３９】
１  前面側ケース（第１ケース部材）
１ａ  側部
１ｂ  係合穴（第１係合部）
２  背面側ケース（第２ケース部材）
２ａ  側部
２ｂ  係合穴（第２係合部）
３  ケース
４  枠体（取り付け部材）
４ａ  側部
４ｃ  突出片（第３係合部）
４ｄ  突出片（第４係合部）
５  液晶表示パネル（表示パネル）
【図１】
2008009027.tif 000003
【図２】
2008009027.tif 000004
【図３】
2008009027.tif 000005
【図４】
2008009027.tif 000006
【図５】
2008009027.tif 000007
【図６】
2008009027.tif 000008
【図７】
2008009027.tif 000009